(57)【要約】【課題】植付部が非作業高さに上昇した位置では、代掻装置の自重が作用しない状態にして、容易に代掻装置の作業位置を調節可能とする。【解決手段】代掻同時田植機１０は、植付部２４の昇降移動に伴い代掻装置４４を昇降移動する作業機昇降機構６４と、代掻装置４４の作業位置を上下調節する上下調節機構７６とを備えていて、植付部２４が非作業高さに上昇した位置では、作業機昇降機構６４と上下調節機構７６との連繋が解除されて、該上下調節機構７６を操作することにより代掻装置４４の作業位置を調節可能とする。また、植付部２４が作業高さに下降した位置では、作業機昇降機構６４と上下調節機構７６とが連繋されて、代掻装置４４は、植付部２４が上昇した位置で上下調節機構７６により調節された作業位置に設定される。【選択図】　　　図３
2004065112.tif 000002
【特許請求の範囲】
【請求項１】
前輪及び後輪にて支持された走行機体の後部に、圃場に苗を移植する移植部を昇降リンク機構を介して昇降自在に支持すると共に、該移植部の前方でかつ前記後輪の後方との間の空間にて作業を行う対地作業機を前記移植部に対して昇降自在に支持した移植機において、
前記移植部の昇降移動に伴い前記対地作業機を昇降移動する作業機昇降機構と、前記対地作業機の作業位置を上下調節する上下調節機構と、を備え、
前記移植部が非作業高さに上昇した位置では、前記作業機昇降機構と前記上下調節機構との連繋を解除した状態で、該上下調節機構による前記対地作業機の作業位置を調節可能とし、
前記移植部が作業高さに下降した位置では、前記作業機昇降機構と前記上下調節機構とを連繋して、前記対地作業機を前記上下調節機構に基づく作業位置に設定してなる、
ことを特徴とする移植機。
【請求項２】
前記作業機昇降機構は、第１の長孔を有し前記移植部の上昇に伴い前記移植部に対して上昇する連動部材と、
前記第１の長孔に係合され、かつ前記対地作業機に連結されたピン部材を有し、該ピン部材が前記第１の長孔の下端部に当接されて上昇し前記対地作業機を作業高さに持ち上げる連結リンクと、を備え、
前記上下調節機構は、前記ピン部材が係合する第２の長孔を有し、前記移植部の下降に伴い前記対地作業機が自重により下降して前記ピン部材が前記第２の長孔の下端部に当接され、前記対地作業機の作業位置を規制する作業位置規制部材と、
該作業位置規制部材を移動操作する上下操作具と、を備えている、
ことを特徴とする請求項１記載の移植機。
【発明の詳細な説明】
【０００１】
【発明の属する技術分野】
本発明は、代掻田植機や不耕起田植機等の移植機に関する。
【０００２】
【従来の技術】
従来、代掻作業と苗の植付作業とを同時に行う代掻同時田植機は、前輪及び後輪を有する走行機体の後部に、複数条分の苗を植付ける植付装置を、昇降リンク機構を介して支持すると共に、この植付装置の前方で後輪の後方に支持したロータリ軸に複数のかご型ロータを備え、代掻きを行う代掻装置（対地作業機）が装着されている。
【０００３】
ところで、植付装置を支持する昇降リンク機構は、平行リンクから成り、植付装置を非作業高さに上昇させたときにも機体重心を前方に移動して安定性を維持するために、この平行リンクは下方リンクの支点よりも上方リンクの支点が機体前方にオフセットされている。このため、植付装置の昇降に伴い代掻装置が昇降する時に、該代掻装置が後輪と干渉するおそれがあった。
【０００４】
この干渉を避けるためには、該代掻装置と後輪との間に空間を設ける必要があり、このため、例えば代掻装置を後輪から離間させた位置に配置する必要があった。
【０００５】
一方、植付装置が作業高さに下降した状態であっても、必ずしも代掻装置が植付装置と一体で使用されるとは限らないので、代掻装置を独立して作業位置又は非作業位置に調節できるようにすることも必要である。
【０００６】
【発明が解決しようとする課題】
前述したように、代掻装置を後輪から離間させた位置に配置すると、機体の前後長が長くなると共に、代掻装置の設置スペースも大きくなって機体が大型化するという課題があった。一方、代掻装置を独立して作業位置又は非作業位置に容易に調節できるようにすれば便利である。
【０００７】
本発明は、斯かる課題を解消するためになされたもので、その目的とするところは、移植部が非作業高さに上昇した位置では、対地作業機の自重が作用しない状態にして、容易に対地作業機の作業位置を調節することができる移植機を提供することにある。
【０００８】
【課題を解決するための手段】
前記目的を達成するため、請求項１記載の発明は、前輪（１２）及び後輪（１４）にて支持された走行機体（１６）の後部に、圃場に苗を移植する移植部（２４）を昇降リンク機構（２２）を介して昇降自在に支持すると共に、該移植部（２４）の前方でかつ前記後輪（１４）の後方との間の空間にて作業を行う対地作業機（４４）を前記移植部（２４）に対して昇降自在に支持した移植機（１０）において、
前記移植部（２４）の昇降移動に伴い前記対地作業機（４４）を昇降移動する作業機昇降機構（６４）と、前記対地作業機（４４）の作業位置を上下調節する上下調節機構（７６）と、を備え、
前記移植部（２４）が非作業高さに上昇した位置では、前記作業機昇降機構（６４）と前記上下調節機構（７６）との連繋を解除した状態で、該上下調節機構（７６）による前記対地作業機（４４）の作業位置を調節可能とし、
前記移植部（２４）が作業高さに下降した位置では、前記作業機昇降機構（６４）と前記上下調節機構（７６）とを連繋して、前記対地作業機（４４）を前記上下調節機構（７６）に基づく作業位置に設定してなることを特徴とする。
【０００９】
請求項２記載の発明は、請求項１記載の移植機において、前記作業機昇降機構（６４）は、第１の長孔（６２ａ）を有し前記移植部（２４）の上昇に伴い前記移植部（２４）に対して上昇する連動部材（６２）と、
前記第１の長孔（６２ａ）に係合され、かつ前記対地作業機（４４）に連結されたピン部材（５９）を有し、該ピン部材（５９）が前記第１の長孔（６２ａ）の下端部に当接されて上昇し前記対地作業機（４４）を作業高さに持ち上げる連結リンク（６０）と、を備え、
前記上下調節機構（７６）は、前記ピン部材（５９）が係合する第２の長孔（７８ａ）を有し、前記移植部（２４）の下降に伴い前記対地作業機（４４）が自重により下降して前記ピン部材（５９）が前記第２の長孔（７８ａ）の下端部に当接され、前記対地作業機（４４）の作業位置を規制する作業位置規制部材（７８）と、
該作業位置規制部材（７８）を移動操作する上下操作具（８０）と、を備えていることを特徴とする。
【００１０】
［作用］
本発明によれば、移植部（２４）の昇降に伴い対地作業機（４４）が昇降移動するが、移植部（２４）が非作業高さに上昇した位置では、作業機昇降機構（６４）と上下調節機構（７６）との連繋が解除されて、小さい力で上下調節機構（７６）による対地作業機（４４）の作業位置の調節が可能となる。また、前記移植部（２４）が作業高さに下降した位置では、前記作業機昇降機構（６４）と前記上下調節機構（７６）とが連繋されて、前記対地作業機（４４）は、例えば移植部（２４）が非作業高さに上昇した位置において前記上下調節機構（７６）により調節された対地作業機（４４）の作業位置に設定される。
【００１１】
なお、上述したカッコ内の符号は図面を参照するためのものであって、本発明を何ら限定するものではない。
【００１２】
【発明の実施の形態】
以下、図面に基づき本発明の実施の形態を説明する。
【００１３】
図１は、本発明に係る移植機としての代掻同時田植機の全体側面図である。この代掻同時田植機１０は、前輪１２及び後輪１４に支持された走行機体１６上に、前方からエンジン１８、その後部にハンドル及び座席シートを有する運転席２０を備え、走行機体１６の後方には、アッパリンク２２ａとロアリンク２２ｂを有する昇降リンク機構２２を介して植付部２４が油圧シリンダ（図示せず）によって昇降自在に支持されている。
【００１４】
図２に示すように、昇降リンク機構２２の後端部は支点軸２５によりリンクホルダ３６が軸着されていて、植付部２４は、このリンクホルダ３６から後方に突出されたローリング軸３７によりローリング自在に支持されている。この植付部２４には、マット苗を載置して後方が低くなるように前後に傾斜配置された苗載せ台３０と、該苗載せ台３０から苗を掻取って圃場に移植する多数の植付杆２６を有する植付ケース３８と、該植付ケース３８が取付けられた伝動ケース４０と、角筒状の植付部フレーム４２等が一体的に配置されている。前記伝動ケース４０には、植付ＰＴＯ軸（図示せず）から動力が供給されると共に、該伝動ケース４０の下方には、滑走機能を有するフロー卜２８が設けられている。なお、機体前部のボンネットの左右側方には、補助苗載せ台３２が設けられている。
【００１５】
図１及び図２に示すように、対地作業機としての代掻装置４４は、植付部２４の前方でかつ後輪１４の後方との間の空間に配置された複数のかご型ロータ４８が所定間隔で取付けられていて、このかご型ロータ４８により、圃場の植付面を代掻きして、平滑に代掻きされた圃場に植付杆２６によって苗が植付けられる。このかご型ロータ４８は、各フロート２８の前方において機体左右方向に横設されたロータリ軸４６に支持され、このロータリ軸４６には、代掻伝動軸５０から自在継手５２を介して動力が供給されている。なお、かご型ロータ４８は、上方をロータカバー５４により覆われている。
【００１６】
本実施の形態では、移植部２４の昇降移動に伴い対地作業機４４を昇降移動する作業機昇降機構６４と、対地作業機４４の作業位置を上下調節する上下調節機構７６とを備えている。
【００１７】
作業機昇降機構６４は、植付部２４の昇降移動に伴い代掻装置４４を植付部２４に対して昇降移動させるもので、連動部材６２と連結リンク６０等を有している。すなわち、図２及び図３（ａ）（ｂ）に示すように、左右１対のロアリンク２２ｂの一方（図２では左側）の後部には、該ロアリンク２２ｂと一体的に延長リンク２２ｃが機体後方に延設され、該延長リンク２２ｃの後端部に、連結ピン６３により連動アーム６２が回動可能に軸着されている。この連動アーム６２には、長孔（第１の長孔）６２ａが形成されている。なお、上下調節機構７６については後述する。
【００１８】
一方、機体左右方向に延設された植付部フレーム４２の左右端側には、該植付部フレーム４２に一体的に固定された植付機枠３４，３４が立設されていて、この植付機枠３４に、ボルト５７によりスリーブ軸５６が固定されている。また、このスリーブ軸５６には、植付部フレーム４２と略々平行に横軸５８が回動自在に支持されている。この横軸５８の長手方向の中途部には、連結リンク６０が一体的に取付けられ、該連結リンク６０には係合ピン５９が植設されている。この係合ピン５９は、前述した連動アーム６２の長孔６２ａに係合されていて、該連動アーム６２が上昇するに伴い係合ピン５９が長孔６２ａの下端部に当接されて上昇し、横軸５８が回動する。
【００１９】
更に、前述した横軸５８の長手方向端部には、リンクアーム６６が一体的に固定されていて、該リンクアーム６６には、ピン６７を介してリンクレバー６８が回動可能に軸着されている。このリンクレバー６８には、継手７０を介して支持ロッド７２が連結され、該支持ロッド７２の下端部にローラ７１が取付けられ、該ローラ７１を介して代掻装置４４が装着されている。前記支持ロッド７２は、機体進行方向に対し前方が低く後方が高くなるように傾斜配置されたガイド部材７４に、摺動可能に配置されている。このガイド部材７４には前後ステー７３が一体的に固定され、該前後ステー７３は植付部フレーム４２の上部に固定されている。
【００２０】
こうして、前記ガイド部材７４に案内される支持ロッド７２は、前方が低く後方が高くなるように傾斜して上昇移動する結果、該支持ロッド７２に支持された代掻装置４４は、機体前方から後方に向けて高くなるように傾斜して上昇移動するため、代掻装置４４は後輪１４の略々外径に沿って該後輪１４に干渉することなく退避移動することになる。
【００２１】
なお、代掻装置４４に動力を伝達する代掻伝動軸５０の後部は、ロアリンク２２ｂに軸着された連結アーム５３により昇降可能に支持されている。
【００２２】
以上により、植付部２４が昇降移動すると、これに伴い代掻装置４４が該植付部２４に対して昇降移動すると共に、植付部２４の所定の非作業高さへの上昇移動に基き、代掻装置４４は後輪１４に干渉しないように該後輪１４の外径に沿って上方に退避移動する。
【００２３】
前述したように、連結リンク６０とリンクアーム６６とは、横軸５８により一体的に連結されており、連結リンク６０が回動するとこれと一体に横軸５８が回動し、この横軸５８の回動により代掻装置４４が昇降移動する。
【００２４】
そして、図４（ａ）（ｂ）に示すように、昇降リンク機構２２により植付部２４が所定の非作業高さに上昇移動する際、ロアリンク２２ｂが、図３（ａ）の状態から図４（ａ）に示すように所定角度上方に傾斜するが、このとき、延長リンク２２ｃの後端に連結された連動アーム６２が植付部２４に対して相対的に大きく上昇して、図３（ｂ）の長孔６２ａの下端面と係合ピン５９の停止位置との間の隙間ｓがゼロになり、更に上昇移動することで係合ピン５９を持ち上げる。すると、連結リンク６０を介して横軸５８が図の時計方向に回動し、リンクアーム６６、支持ロッド７２を介して代掻装置４４が上昇する。
【００２５】
なお、図３（ａ）に示すように、エンジン１８の動力は、走行伝動軸８６を介して駆動ケース８８に伝達され、更に該駆動ケース８８と一体のリアアクスルケース８８から後輪１４に動力が伝達されると共に、前記駆動ケース８８から継手９０、代掻伝動軸５０、継手５２を介して代掻装置４４に動力が伝達される。この代掻装置４４への動力の入切は、代掻操作レバー９２によって行われる。
【００２６】
ところで、図３（ａ）に示すように、昇降リンク機構２２は、平行リンクで構成され、該平行リンクの始端側のアッパリンク２２ａの支点２７ａが、ロアリンク２２ｂの支点２７ｂよりも前方にオフセットしている。
【００２７】
このため、植付部２４を上昇させたときは機体重心が前方に移動して安定性が向上する反面、この植付部２４の上昇と略々同時に代掻装置４４を上昇させると、該代掻装置４４が後輪１４に干渉するおそれがある。しかし、本実施の形態のように、植付部２４が上昇を開始して該植付部２４が上昇するよりも速く、連動アーム６２を介して代掻装置４４を上昇させるようにしたことで、植付部２４の昇降移動に伴う代掻装置４４と後輪１４との干渉を防止することができる。
【００２８】
更に、支持ロッド７２は、前方が低く後方が高くなるように傾斜配置されたガイド部材７４に案内されて、後輪１４から退避するように上昇移動するので、代掻装置４４が後輪１４と干渉することは回避される。
【００２９】
なお、本実施の形態では、苗載せ台３０の下面側の空きスペースを利用して、この空きスペースに作業機昇降機構６４を配置することで、機体全体のコンパクト設計を図っている。
【００３０】
次に、前述した代掻装置４４の作業位置は、前述した上下調節機構７６により上下調節することができる。すなわち、図３（ａ）（ｂ）において、上下調節機構７６は、作業位置規制リンク７８と、該作業位置規制リンク７８と一体固定された操作レバー８０（上下操作具）とを有し、作業位置規制リンク７８には、前述した係合ピン５９が係合する長孔（第２の長孔）７８ａが形成されている。
【００３１】
そして、図４及び図５に示すように、植付部２４が非作業高さに上昇した位置では、作業機昇降機構６４と上下調節機構７６との連繋が解除された状態で、該上下調節機構７６による代掻装置４４の作業位置が調節可能となり、また、図３及び図６に示すように、植付部２４が作業高さに下降した位置では、作業機昇降機構６４と上下調節機構７６とが連繋されて、代掻装置４４は上下調節機構７６に基づいて調節された作業位置に設定される。
【００３２】
すなわち、例えば図４（ａ）（ｂ）において、植付部２４が非作業高さに上昇する時は、連動アーム６２が上昇して長孔６２ａの下端面が係合ピン５９を持ち上げ、連結リンク６０、横軸５８、リンクアーム６６、支持ロッド７２を介して代掻装置４４が上昇する。そして、植付部２４が所定の非作業高さに上昇した図４（ａ）（ｂ）の状態では、代掻装置４４の重量は係合ピン５９を介して長孔６２ａの下端面が負担するため、作業機昇降機構６４と上下調節機構７６との連繋が解除され、操作レバー８０及びこれと一体の作業位置規制リンク７８を小さい力で操作することができる。
【００３３】
なお、作業位置規制リンク７８は、操作レバー８０を回動操作することにより、該操作レバー８０と一体で横軸５８を中心として回動する。よって、この状態では、小さい力で操作レバー８０を操作して代掻装置４４の作業位置を、図４（ａ）（ｂ）の作業位置（下げ位置）から、図５（ａ）（ｂ）のような非作業位置（上げ位置）に調節することができる。
【００３４】
次に、植付部２４が非作業高さに上昇した状態（図４（ａ）（ｂ）参照）から、例えば図３（ａ）（ｂ）に示すように、植付部２４が作業高さに下降する時は、該植付部２４の下降に伴い代掻装置４４が自重により下降して、係合ピン５９が作業位置規制リンク７８の長孔７８ａの下端部に当接され（図３（ｂ）参照）、これにより代掻装置４４の作業位置が規制される。すなわち、この場合、作業機昇降機構６４と上下調節機構７６とは連繋されて、代掻装置４４は上下調節機構７６に基づいて調節された作業位置（下げ位置）に設定される。
【００３５】
このとき、作業機昇降機構６４と上下調節機構７６とは連繋されていて、この状態で図６（ａ）（ｂ）に示すように、操作レバー８０を上げ位置に操作するには、該代掻装置４４の自重に抗して操作レバー８０を操作する必要がある。
【００３６】
なお、前記操作レバー８０は、図２に示されるように、そのレバー係止片８０ａがレバーガイド８２に形成されたレバー係止溝８４に係止されて、代掻装置４４をその操作位置に従い作業位置（下げ位置）又は非作業位置（上げ位置）に位置決めする（図３（ａ）、図６（ａ）参照）。
【００３７】
次に、作用について簡単に説明する。
【００３８】
図３（ａ）に示すように、植付部２４が作業高さに下降しており、かつ代掻装置４４が操作レバー８０の操作により作業位置に調節されている状態では、機体走行に伴い代掻装置４４により圃場面を均しながら、植付部２４では植付杆２６が苗載せ台３０から苗を掻取って圃場に苗が移植される。
【００３９】
この状態から、昇降リンク機構２２を上昇させると、該昇降リンク機構２２の後部のリンクホルダ３６の後方から機体後方に突出しているローリング軸３７を介して植付部フレーム４２が上昇し、植付部２４が上昇すると共に、この植付部フレーム４２と一体の植付機枠３４、横軸５８、支持ロッド７２を介して代掻装置４４も上昇する。このとき、この植付部２４の上昇の際、ロアリンク２２ｂの後部の延長リンク２２ｃの後端部は、該ロアリンク２２ｂの下方支点２７ｂを中心として植付部２４に対し該植付部２４よりも速く上昇する。
【００４０】
このため、図３（ｂ）に示される連動アーム６２の長孔６２ａの下端部と係合ピン５９とのギャップｓが早急にゼロになり、更に連動アーム６２が上昇することで、該長孔６２ａの下端部が係合ピン５９を持ち上げて、係合ピン５９は横軸５８を中心として回動しながら長孔７８ａに沿って上昇する。この横軸５８が回動することにより、リンクアーム６６及び支持ロッド７２を介して代掻装置４４が持ち上げられる。このとき、図４（ｂ）に示すように、係合ピン５９は長孔６２ａの下端部に当接された状態で保持されている。
【００４１】
このように、代掻装置４４は植付部２４が上昇するよりも速く上昇すると共に、該代掻装置４４を支持している支持ロッド７２はガイド部材７４に案内されて斜め後方に早急に退避移動して上昇するため、植付部２４の上昇の際に代掻装置４４と後輪１４とが干渉することは回避される。
【００４２】
また、この植付部２４が非作業高さに上昇した状態では、図４（ａ）（ｂ）に示すように、作業機昇降機構６４と上下調節機構７６との連繋は解除されていて、代掻装置４４の自重は係合ピン５９によって支持され、この係合ピン５９は長孔６２ａの下端部に支持されている。この状態では、作業位置規制リンク７８には代掻装置４４の自重は作用せず、よって該作業位置規制リンク７８は操作レバー８０によって小さな力で容易に回動操作することができる。
【００４３】
従って、例えば、図４（ａ）（ｂ）に示すように、植付部２４が非作業高さに上昇し、かつ操作レバー８０の下げ操作により代掻装置４４が作業位置（下げ位置）に調節されている状態から、図５（ａ）（ｂ）に示すように、この操作レバー８０を上げ操作して、該作業位置規制リンク７８を矢印Ａ方向に操作し、代掻装置４４を非作業位置（上げ位置）に調節したとする。このとき、代掻装置４４の自重は、係合ピン５９を介して長孔６２ａの下端部が負担しているので、小さな力で操作レバー８０を上げ操作することができる。
【００４４】
この図５（ａ）（ｂ）のように、代掻装置４４を非作業位置（上げ位置）に調節した状態で、図６（ａ）（ｂ）に示すように、昇降リンク機構２２を下降させて植付部２４を作業高さに下降したとすると、該植付部２４の下降に伴い代掻装置４４が下降すると共に、該植付部２４に対して連動アーム６２も下降する。このとき、植付部２４は作業高さに下降しているが、代掻装置４４は非作業位置（上げ位置）に保持されている。そして、この場合、作業機昇降機構６４と上下調節機構７６とは連繋されていて、この状態で操作レバー８０を下げ操作すると、代掻装置４４の自重により小さい力で下げ操作することができるが、例えば代掻装置４４を下げ位置から上げ位置に操作するには、該代掻装置４４の自重に抗して操作レバー８０を操作する必要がある。
【００４５】
【発明の効果】
以上説明したように、請求項１記載の発明によれば、移植部の昇降移動に伴い対地作業機を昇降移動する作業機昇降機構と、対地作業機の作業位置を上下調節する上下調節機構とを備えているので、移植部が非作業高さに上昇した位置では、上下調節機構に対地作業機の自重が作用しないため、容易に対地作業機の作業位置の調節を行うことができる。
【００４６】
請求項２記載の発明によれば、作業機昇降機構は、移植部の上昇に伴い前記移植部に対して上昇する連動部材と、対地作業機を作業高さに持ち上げる連結リンクとを備え、また、上下調節機構は、対地作業機の作業位置を規制する作業位置規制部材と、これを移動操作する上下操作具とを備えているので、簡単な構成で、移植部が非作業高さに上昇した位置での上下調節機構の操作力を軽減することができる。
【図面の簡単な説明】
【図１】本発明に係る移植機としての代掻同時田植機の側面図である。
【図２】代掻装置の支持構造を示す正面図である。
【図３】（ａ）は植付部が下降し、代掻装置が作業位置（下げ位置）に調節されたときの代掻同時田植機の側面図であり、（ｂ）は作業機昇降機構の側面図である。
【図４】（ａ）は植付部が上昇し、代掻装置が作業位置（下げ位置）に調節されたときの代掻同時田植機の側面図であり、（ｂ）は作業機昇降機構の側面図である。
【図５】（ａ）は植付部が上昇し、代掻装置が非作業位置（上げ位置）に調節されたときの代掻同時田植機の側面図であり、（ｂ）は作業機昇降機構の側面図である。
【図６】（ａ）は植付部が下降し、代掻装置が非作業位置（上げ位置）に調節されたときの代掻同時田植機の側面図であり、（ｂ）は作業機昇降機構の側面図である。
【符号の説明】
１０　　　代掻同時田植機（移植機）
１２　　　前輪
１４　　　後輪
１６　　　走行機体
２２　　　昇降リンク機構
２２ａ　　アッパリンク
２２ｂ　　ロアリンク
２２ｃ　　延長リンク
２４　　　植付部（移植部）
２７ａ　　上方支点
２７ｂ　　下方支点
３０　　　苗載せ台
４４　　　代掻装置（対地作業機）
５８　　　横軸
５９　　　係合ピン（ピン部材）
６０　　　連結リンク
６２　　　連動アーム（連動部材）
６２ａ　　長孔（第１の長孔）
６４　　　作業機昇降機構
７６　　　上下調節機構
７８　　　作業位置規制リンク（作業位置規制部材）
７８ａ　　長孔（第２の長孔）
８０　　　操作レバー（上下操作具）
【図１】
2004065112.tif 000003
【図２】
2004065112.tif 000004
【図３】
2004065112.tif 000005
【図４】
2004065112.tif 000006
【図５】
2004065112.tif 000007
【図６】
2004065112.tif 000008